【手続補正書】
【提出日】平成20年10月8日(2008.10.8)
【手続補正１】
【補正対象書類名】特許請求の範囲
【補正対象項目名】全文
【補正方法】変更
【補正の内容】
【特許請求の範囲】
【請求項１】
屋外の床面に設置されてドレインホースからのドレイン水を受けて流して排水するための、ドレイン排水溝部材において、
ドレイン水を流すための、長手方向に延びた、底部及び両側部から構成された排水路を、有しており、
前記両側部の上部から横方向に張り出した上部張出部が、形成されており、
前記両側部の外面と上部張出部の裏面とにより、空間部が、形成されている、ことを特徴とするドレイン排水溝部材。
【請求項２】
更に、前記両側部の下縁から横方向に張り出した下縁張出部が、形成されており、
前記空間部が、前記両側部の外面と、上部張出部の裏面と、下縁張出部の表面と、により、形成されている、請求項１記載のドレイン排水溝部材。
【請求項３】
上部張出部の裏面と前記両側部の外面とが成す角度が、鋭角である、請求項１又は２に記載のドレイン排水溝部材。
【請求項４】
上部張出部の裏面と前記両側部の外面とにより形成されたコーナー部に、溝部が、形成されている、請求項１又は２に記載のドレイン排水溝部材。
【請求項５】
上部張出部の裏面に溝部が形成されており、及び／又は、上部張出部の先端に接合処理部が形成されている、請求項１又は２に記載のドレイン排水溝部材。
【請求項６】
上部張出部の、裏面及び／又は先端部に、下方に突出したスカート部が、形成されている、請求項１又は２に記載のドレイン排水溝部材。
【請求項７】
排水路を上方から塞ぐための、平板状の蓋部材が、設けられており、
蓋部材が、排水路に対して、長手方向にスライドして脱着可能に設けられている、請求項１記載のドレイン排水溝部材。
【請求項８】
前記両側部から排水路の内側に向かって、突出部が、形成されており、
前記突出部が、蓋部材を下方から支持している、請求項７記載のドレイン排水溝部材。
【請求項９】
床材と、ドレインホースからのドレイン水を受けて流して排水するための、ドレイン排水溝部材とが、床面に設置されて構成された、ドレイン排水床構造において、
ドレイン水を流すための、長手方向に延びた、底部及び両側部から構成された排水路を、有し、前記両側部の上部から横方向に張り出した上部張出部が、形成され、前記両側部の外面と上部張出部の裏面とにより、空間部が、形成されている、ドレイン排水溝部材の、前記空間部に、隣接した床材が挿設されていることを特徴とするドレイン排水床構造。
【請求項１０】
ドレイン排水溝部材に、更に、前記両側部の下縁から横方向に張り出した下縁張出部が、形成され、前記空間部が、前記両側部の外面と、上部張出部の裏面と、下縁張出部の表面と、により、形成されており、
前記空間部に、隣接した床材が挿設されている、請求項９記載のドレイン排水床構造。
【請求項１１】
上部張出部の少なくとも裏面の一部、及び／又は、上部張出部の先端部が、接合処理されることにより、ドレイン排水溝部材と床材とが接合されている、請求項９又は１０に記載のドレイン排水床構造。
【請求項１２】
上部張出部の裏面と前記両側部の外面とが成す角度が、鋭角であり、それによってコーナー部にできた空洞部の、一部又は全部が、接合処理されることにより、ドレイン排水溝部材と床材とが接合されている、請求項９又は１０に記載のドレイン排水床構造。
【請求項１３】
上部張出部の裏面と前記両側部の外面とにより形成されたコーナー部に、溝部が、形成されており、
前記溝部の、一部又は全部が、接合処理されることにより、ドレイン排水溝部材と床材とが接合されている、請求項９又は１０に記載のドレイン排水床構造。
【請求項１４】
上部張出部の裏面に溝部が形成されており、
前記溝部の、一部又は全部が、接合処理されることにより、ドレイン排水溝部材と床材とが接合されている、請求項９又は１０に記載のドレイン排水床構造。
【請求項１５】
上部張出部の裏面に、下方に突出したスカート部が、形成されており、
スカート部と上部張出部の先端側の裏面とで構成された空間部、及び／又は、スカート部と上部張出部の前記両側部側の裏面とで構成された空間部、が接合処理されることにより、ドレイン排水溝部材と床材とが接合されている、請求項９又は１０に記載のドレイン排水床構造。
【請求項１６】
排水路を上方から塞ぐための、平板状の蓋部材が、設けられており、
蓋部材が、排水路に対して、長手方向にスライドして脱着可能に設けられている、請求項９記載のドレイン排水床構造。
【請求項１７】
前記両側部から排水路の内側に向かって、突出部が、形成されており、
前記突出部が、蓋部材を下方から支持している、請求項９記載のドレイン排水床構造。
【手続補正２】
【補正対象書類名】明細書
【補正対象項目名】全文
【補正方法】変更
【補正の内容】
【発明の詳細な説明】
【発明の名称】ドレイン排水溝部材及びドレイン排水床構造
【技術分野】
【０００１】
本発明は、ドレイン排水溝部材及びドレイン排水床構造に関するものであり、より具体的には、ドレイン水を受けて排水するばかりでなく、施工が容易な、ドレイン排水溝部材、及び、前記ドレイン排水溝部材を床材とともに設置し、ドレイン水が排水可能な、ドレイン排水床構造、に関する。
【背景技術】
【０００２】
従来、マンション等の集合住宅の共通廊下やベランダ等である屋外には、通常、冷暖房機の外機が設置されている。そして、外機からは、ドレインホースを通じてドレイン水が排出されている。
【０００３】
ところで、ドレイン水をそのまま屋外の床面に垂れ流すと、ドレイン水が床面に広がっていくため、ドレイン水の広がった場所に埃や砂等が付着し、床面に、汚れやしみができたりカビが発生したりしていた。また、ドレイン水により床面が濡れることにより、滑りやすくなり、歩行者の転倒事故が発生しやすくなり、安全性の観点からも好ましくなかった。
【０００４】
そこで、前記問題点を解決するため、ドレインホースからのドレイン水を排出するための溝状の排水路を設けたドレイン排水溝部材が提供されている（特許文献１）。また、当該ドレイン排水溝部材の改良技術として、床材との熱溶着作業を容易にするため、排水路の両側に熱溶着するための作業領域を設けたドレイン排水溝部材が提供されている（特許文献２）。
【特許文献１】特開平１０−４６７６２号公報
【特許文献２】特開２０００−１３６６０２号公報
【発明の開示】
【発明が解決しようとする課題】
【０００５】
一般にドレイン排水溝部材では、床材とともに床面に施工する際、ドレイン排水溝部材を設置する部分の床材を切り欠いて施工するか、或いは当該部分を開けて床材を施工しなければならない。前記ドレイン排水溝部材はその側面と隣接する床材とを熱溶着等の接合処理を行わなければならなかった。従って、かなり正確に計測して、ドレイン排水溝部材を設置する部分を当該ドレイン排水溝部材の幅に合わせるという施工をしなければならず、きわめて煩雑であった。
【０００６】
また、前記ドレイン排水溝部材を設置する部分の幅が一部でも狭すぎる場合にはドレイン排水溝部材が床材間に設置できないという問題があり、一方、ドレイン排水溝部材を設置する部分の幅が一部でも広すぎる場合には床材との接合が不十分となって隙間が生じ、当該隙間から水、埃、砂等が入り込み、美観上好ましくないばかりかドレイン排水溝部材はもちろん、当該ドレイン排水溝部材と隣接する床材も剥離してくる等の問題が生じ、改善が強く望まれていた。
【課題を解決するための手段】
【０００７】
本願発明は、前記問題点を解決したものである。
すなわち、本願の第１発明は、屋外の床面に設置されてドレインホースからのドレイン水を受けて流して排水するための、ドレイン排水溝部材において、ドレイン水を流すための、長手方向に延びた、底部及び両側部から構成された排水路を、有しており、前記両側部の上部から横方向に張り出した上部張出部が、形成されており、前記両側部の外面と上部張出部の裏面とにより、空間部が、形成されている、ことを特徴としている。尚、本明細書において、床材とは、合成樹脂、石材、又は陶器からなる、タイル、又は、ポリ塩化ビニル樹脂、ポリオレフィン樹脂等の熱可塑性樹脂からなる、シートをいう。
【０００８】
前記第１発明は、更に、次の構成の１つ以上を採用するのが好ましい。
（ａ）更に、前記両側部の下縁から横方向に張り出した下縁張出部が、形成されており、前記空間部が、前記両側部の外面と、上部張出部の裏面と、下縁張出部の表面と、により、形成されている。
（ｂ）上部張出部の裏面と前記両側部の外面とが成す角度が、鋭角である。
（ｃ）上部張出部の裏面と前記両側部の外面とにより形成されたコーナー部に、溝部が、形成されている。
（ｄ）上部張出部の裏面に溝部が形成されており、及び／又は、上部張出部の先端に接合処理部が形成されている。
（ｅ）上部張出部の、裏面及び／又は先端部に、下方に突出したスカート部が、形成されている。
（ｆ）排水路を上方から塞ぐための、平板状の蓋部材が、設けられており、蓋部材が、排水路に対して、長手方向にスライドして脱着可能に設けられている。
（ｇ）前記（ｆ）において、前記両側部から排水路の内側に向かって、突出部が、形成されており、前記突出部が、蓋部材を下方から支持している。
【０００９】
また、前記第１発明は、更に、次の構成の１つ以上を採用してもよい。
（ｈ）前記両側部の外面と上部張出部の裏面との成す角度が、略直角である。
（ｉ）前記（ａ）において、前記両側部の外面と下縁張出部の表面との成す角度が、略直角である。
（ｊ）前記（ｅ）において、スカート部の突出方向と前記両側部の外面との成す角度が、鋭角である。
（ｋ）前記（ｆ）において、排水路の前記両側部に設けられた溝部に、蓋部材の両縁部を挿入することにより、蓋部材が排水路に対してスライドするようになっている。
（ｌ）前記（ｋ）において、蓋部材の前記両縁部が、上向き及び／又は下向きの突部を有しており、排水路の前記両側部の前記溝部に、前記突部が嵌合可能な凹部が設けられており、蓋部材の前記両縁部の前記突部が、排水路の前記両側部の前記溝部の前記凹部に、嵌合された状態で、蓋部材の前記両縁部が前記溝部に挿入されるようになっている。
（ｍ）前記（ｋ）において、蓋部材の前記両縁部が、上開き及び／又は下開きの凹部を有しており、排水路の前記両側部の前記溝部に、前記凹部が嵌合可能な突部が設けられており、蓋部材の前記縁部の前記凹部が、排水路の前記両側部の前記溝部の前記突部に、嵌合された状態で、蓋部材の前記両縁部が前記溝部に挿入されるようになっている。
（ｎ）前記（ｋ）において、蓋部材の前記縁部が断面波形形状を有しており、排水路の前記両側部の前記溝部が、前記縁部が嵌合する断面波形形状を有しており、蓋部材の前記両縁部が、波形形状同士を嵌合させた状態で、前記溝部に挿入されるようになっている。
（ｏ）前記（ｋ）において、排水路の前記両側部の前記溝部が、水平に対して傾斜して形成されている。
（ｐ）前記（ｆ）において、蓋部材の前記両縁部に形成された溝部に、排水路の前記両側部に設けられた凸部を挿入することによって、蓋部材が排水路に対してスライドするようになっている。
（ｑ）前記（ｐ）において、蓋部材の前記両縁部の前記溝部が、水平に対して傾斜して形成されている。
（ｒ）前記（ｋ）において、蓋部材の前記両縁部の前記溝部が、上開き及び／又は下開きの凹部を有しており、排水路の前記両側部の前記凸部に、前記凹部が嵌合可能な突部が設けられており、蓋部材の前記縁部の前記溝部の前記凹部が、排水路の前記両側部の前記凸部の前記突部に嵌合された状態で、蓋部材の前記両縁部が前記溝部に挿入されるようになっている。
（ｓ）前記（ｋ）において、蓋部材の前記両縁部の前記溝部が、上向き及び／又は下向きの突部を有しており、排水路の前記両側部の前記凸部に、前記突部が嵌合可能な凹部が設けられており、蓋部材の前記縁部の前記溝部の前記突部が、排水路の前記両側部の前記凸部の前記凹部に、嵌合された状態で、蓋部材の前記両縁部が前記溝部に挿入されるようになっている。
（ｔ）前記（ｋ）において、蓋部材の前記縁部の前記溝部が断面波形形状を有しており、排水路の前記両側部の前記凸部が、前記縁部が嵌合する断面波形形状を有しており、蓋部材の前記両縁部が、波形形状同士を嵌合させた状態で、前記溝部に挿入されるようになっている。
（ｕ）排水路が、中央の幅狭領域と、その幅狭領域を含む幅広領域と、を有している。
（ｖ）排水路の底部に、複数のリブが設けられている。
（ｗ）蓋部材の裏面に、複数のリブが設けられている。
（ｘ）排水路の底面が、両側から中央に向けて漸次低くなっている。
【００１０】
本願の第２発明は、床材と、ドレインホースからのドレイン水を受けて流して排水するための、ドレイン排水溝部材とが、床面に設置されて構成された、ドレイン排水床構造において、ドレイン水を流すための、長手方向に延びた、底部及び両側部から構成された排水路を、有し、前記両側部の上部から横方向に張り出した上部張出部が、形成され、前記両側部の外面と前記上部張出部の裏面とにより、空間部が、形成されている、前記ドレイン排水溝部材の、前記空間部に、隣接した床材が挿設されていることを特徴としている。
【００１１】
前記第２発明は、更に、次の構成を１つ以上採用するのが好ましい。
（Ａ）前記ドレイン排水溝部材に、更に、前記両側部の下縁から横方向に張り出した下縁張出部が、形成され、前記空間部が、前記両側部の外面と、上部張出部の裏面と、下縁張出部の表面と、により、形成されており、前記空間部に、隣接した床材が挿設されている。
（Ｂ）上部張出部の少なくとも裏面の一部、及び／又は、上部張出部の先端部が、接合処理されることにより、ドレイン排水溝部材と床材とが接合されている。
（Ｃ）上部張出部の裏面と前記両側部の外面とが成す角度が、鋭角であり、それによってコーナー部にできた空洞部の、一部又は全部が、接合処理されることにより、ドレイン排水溝部材と前記床材とが接合されている。
（Ｄ）上部張出部の裏面と前記両側部の外面とにより形成されたコーナー部に、溝部が、形成されており、前記溝部の、一部又は全部が、接合処理されることにより、ドレイン排水溝部材と床材とが接合されている。
（Ｅ）上部張出部の裏面に溝部が形成されており、前記溝部の、一部又は全部が、接合処理されることにより、ドレイン排水溝部材と床材とが接合されている。
（Ｆ）上部張出部の裏面に、下方に突出したスカート部が、形成されており、スカート部と上部張出部の先端側の裏面とで構成された空間部、及び／又は、スカート部と上部張出部の前記両側部側の裏面とで構成された空間部、が接合処理されることにより、ドレイン排水溝部材と床材とが接合されている。
（Ｇ）排水路を上方から塞ぐための、平板状の蓋部材が、設けられており、蓋部材が、排水路に対して、長手方向にスライドして脱着可能に設けられている。
（Ｈ）前記両側部から排水路の内側に向かって、突出部が、形成されており、前記突出部が、蓋部材を下方から支持している。
【００１２】
また、前記第２発明は、更に、次の構成を１つ以上採用してもよい。
（Ｉ）上部張出部の、裏面及び／又は先端部に設けられた、下方に突出したスカート部の、少なくとも先端部分の一部又は全部に、接合処理をすることにより、ドレイン排水溝部材が、隣接する床材と接合されている。
（Ｊ）前記（Ｇ）において、蓋部材の前記両縁部に形成された溝部に、排水路の前記両側部に設けられた凸部を挿入することによって、蓋部材が排水路に対してスライドするようになっている。
（Ｋ）排水路の底部に、複数のリブが設けられている。
【発明の効果】
【００１３】
前記第１発明によれば、排水路の前記両側部に上部張出部が形成されており、前記両側部の外面と上部張出部の裏面とにより、空間部が形成されているため、床面に施工する際、前記空間部に、隣接する床材の端部を挿設して施工することができる。従って、床面に、本発明のドレイン排水溝部材を施工する際、厳密に幅寸法を計測して床材間に当該ドレイン排水溝部材の施工する位置を空ける必要がないため、容易に施工することができ、施工技術が未熟な作業者でも効率的に施工作業を行うことができる。
【００１４】
また、床材の厚みにかかわらず、種々の床材とともに施工した場合、不自然な段差を生じることがなく美麗に施工することが可能である。従って、前記第１発明によれば、床材の厚み差による段差を生じることはなく、施工後の仕上がりも良好であることに加え、床材とドレイン排水溝部材との組み合わせの自由度を飛躍的に向上させることができる。
【００１５】
前記構成（ａ）によれば、排水路の前記両側部に、上部張出部及び下縁張出部が形成されており、前記両側部の外面と、上部張出部の裏面と、下縁張出部の表面と、により、空間部が形成されているため、床面に施工する際、前記空間部に、隣接する床材の端部を挿設して施工することができる。従って、床面に、ドレイン排水溝部材を施工する際、厳密に幅寸法を計測して床材間に当該ドレイン排水溝部材の施工する位置を空ける必要がないため、容易に施工することができ、施工技術が未熟な作業者でも効率的に施工作業を行うことができる。
【００１６】
また、万一、床材とドレイン排水溝部材との継ぎ目部分から水が浸入したとしても、下縁張出部により、浸入した水が、床材及びドレイン排水溝部材と、床下地との、界面まで到達しにくいので、床材及びドレイン排水溝部材が前記浸入した水によって剥離するという現象を未然に防止することができる。さらに、ドレイン排水溝部材も前記下縁張出部によって安定的に床面に固定することができる。
【００１７】
前記構成（ｂ）によれば、前記両側部の外面と上部張出部の裏面との成す角度が鋭角であることにより、前記両側部の外面と上部張出部の裏面とから形成された空間部に、床材を挿設したときに、当該床材表面と上部張出部の裏面とにより、空間部を形成することができ、当該空間部に、シーリング材等の接合処理剤を充填することが可能となり、床材との接合の安定性を向上でき、及び、床材とドレイン排水溝部材との継ぎ目からの水等の浸入をより有効に防止することができる。尚、本明細書において、接合処理とは、接着剤による貼着処理、シーリング剤による貼着処理、シーム液による貼着処理、熱溶着処理、のうちの少なくとも一以上をいうものとする。また、接合処理剤とは、前記接合処理に使用する処理剤をいうものとし、具体的には、接着剤、シーリング剤、シーム液、熱溶着処理にあっては熱溶着処理に使用する溶接棒、をいうものとする。
【００１８】
前記構成（ｃ）によれば、前記両側部の外面と上部張出部の裏面とから形成されたコーナー部に設けた溝部に、シーリング材等の接合処理剤を充填することが可能となり、床材との接合の安定性を向上でき、及び、床材とドレイン排水溝部材との継ぎ目からの水等の浸入をより有効に防止することができる。
【００１９】
前記構成（ｄ）によれば、上部張出部の裏面に設けた溝部にシーリング材等の接合処理剤を充填することが可能となり、床材との接合の安定性を向上でき、及び、床材とドレイン排水溝部材との継ぎ目からの水等の浸入をより有効に防止することができる。
【００２０】
前記構成（ｅ）によれば、上部張出部の、裏面及び／又は先端部に、下方に突出するように設けた、スカート部を、利用して、接合処理を行うことにより、ドレイン排水溝部材と床材との継ぎ目からの水等の浸入を有効に防止することができる。スカート部は、凹凸に対する追従性を有しているため、シーム液によって容易かつ迅速に水密的に接合させることが可能であり、スカート部と床材表面との接合部に、シーリング処理又は接着剤で貼着させても、同様な効果を得ることができる。
【００２１】
前記構成（ｆ）によれば、排水路を上方から塞ぐための平板状の蓋部材が設けられているため、ドレイン水が風で吹き飛ばされて床面を濡らせてしまうことがなく、加えて、排水路に埃や砂等が溜まることがない。従って、円滑なドレイン水の排水が確保されるとともに、排水路に溜まる埃や砂等の除去のためのメンテナンス作業の労力負担が極めて軽減される。しかも、蓋部材が、排水路に対して長手方向にスライドして脱着可能となっているため、容易に、蓋部材の着脱が可能である。また、長年の使用により、排水路が詰まった場合には、蓋部材を、スライドさせることにより、取り外すことができるため、メンテナンス作業を非常に容易に行うことができる。さらに、蓋部材の交換作業等も容易かつ迅速に行うことができる。
【００２２】
前記構成（ｇ）によれば、排水路を流れるドレイン水がスライド部分即ち前記両側部に設けられた溝部から溢れ出すのを、突出部によって効果的に防止できる。
【００２３】
しかも、前記突出部が蓋部材の前記両縁部を支持しているので、排水路に対する蓋部材の装着安定性を向上させ、また、蓋部材が踏まれた場合の凹み具合を低減することができる。
【００２４】
前記構成（ｈ）によれば、前記両側部の外面と上部張出部の裏面との成す角度が略直角であるため、隣接する床材を、上部張出部と前記両側部の外面とで形成される空間部に挿設しやすくなり、安定的に、床材と接合して固定することができる。
【００２５】
前記構成（ｉ）によれば、前記両側部の外面と下縁張出部の表面との成す角度が略直角であるため、隣接する床材を、下縁張出部と前記両側部の外面とで形成される空間部に挿設しやすくなり、安定的に、床材と接合して固定することができる。
【００２６】
前記構成（ｊ）によれば、スカート部の突出方向と前記両側部の外面との成す角度が鋭角であるため、施工する際、スカート部が上部張出部の先端方向に向かって床材表面に追従するため、接合処理がよりしやすくなるという利点がある。
【００２７】
前記構成（ｋ）によれば、蓋部材の脱着が、簡単な構造で安定的に可能となる。また、蓋部材の前記両縁部が排水路の前記両側部の溝部に挿入されるので、蓋部材が利用者の通常の歩行によっても外れにくい、という効果が発揮される。さらに、蓋部材の前記両縁部と、排水路の前記両側部の前記溝部と、の間には、蓋部材と排水路としての遊びが存在しているため、蓋部材の脱着が困難になることはなく、さらには、脱着を繰り返しても、スライドが困難になったり蓋部材が外れやすくなったりすることはない。また、部材が経時的に変化しても、遊びがその変形を吸収することができるので、蓋部材のスライドが不可能になることはない。さらに、部材の可撓性の大小にかかわらず、蓋部材のスライドを円滑に行うことができる。
【００２８】
前記構成（ｌ）又は（ｍ）又は（ｎ）によれば、スライド部分における蓋部材と排水路との装着状態を安定させることができ、また、ドレイン水がスライド部分から漏れて溢れ出すのを防止することができる。
【００２９】
前記構成（ｏ）によれば、排水路の前記両側部に設けられた溝部が、水平に対して傾斜して形成されているため、前記溝部が傾斜している分だけ、蓋部材に応力が働くので、上からの踏圧等の圧力に対する強度を向上させることができる。
【００３０】
前記構成（ｐ）によれば、蓋部材の両縁部に形成された溝部に、排水路の前記両側部に設けられた凸部を挿入することによって、蓋部材が排水路に対してスライドするようになっているため、蓋部材を、簡単な構成によって、安定して、排水路に対してスライドさせることができる。また、蓋部材の前記両縁部の溝部に排水路の前記両側部の凸部が挿入された状態で、蓋部材が排水路に取り付けられるので、蓋部材は利用者の歩行によっても外れにくい。また、蓋部材の両縁部の前記溝部と排水路の両側の前記凸部との間には、蓋部材を排水路に対してスライドさせるために、遊びが存在しているため、更には、蓋部材の前記両縁部と排水路の両側部の前記溝部との間には、蓋部材と排水路としての遊びが存在しているため、蓋部材の脱着が困難になることはなく、さらには、脱着を繰り返しても、スライドが困難になったり蓋部材が外れやすくなったりすることはない。また、部材が経時的に変化しても、遊びがその変形を吸収することができるので、蓋部材のスライドが不可能になることはない。さらに、部材の可撓性の大小にかかわらず、蓋部材のスライドを円滑に行うことができる。
【００３１】
前記構成（ｑ）によれば、蓋部材の両縁部の前記溝部が水平に対して傾斜して形成されているため、当該傾斜によって生じる蓋部材に働く応力により、蓋部材のスライドをより安定的にすることができる。
【００３２】
前記構成（ｒ）又は（ｓ）又は（ｔ）によれば、スライド部分における蓋部材と排水路との装着状態を安定させることができ、また、ドレイン水がスライド部分から漏れて溢れ出すのを防止することができる。
【００３３】
前記構成（ｕ）によれば、ドレイン水が少ない場合にはドレイン水を幅狭領域に流し、ドレイン水が多い場合にはドレイン水を幅広領域に流すことにより、排水路が不必要に広く使用されるのを回避できる。従って、メンテナンスの領域も小さくなり、メンテナンスの労力負担を軽減することができる。
【００３４】
前記構成（ｖ）によれば、排水路の底部に設けられたリブによって下方から蓋部材を支持することができるため、蓋部材の上方から加わる踏圧等の圧力に対する前記蓋部材の変形等を有効に防止することができる。さらに、前記リブがドレイン水の導水機能も果たすため、円滑にドレイン水を排水することができる。
【００３５】
前記構成（ｗ）によれば、蓋部材の裏面に設けられたリブによって下方から蓋部材を支持することができるため、前記構成（ｖ）と同様、蓋部材の上方から加わる踏圧等の圧力に対する前記蓋部材の変形等を有効に防止することができる。さらに、前記リブがドレイン水に達する程度の長さを有する場合には、ドレイン水の導水機能も果たすため、円滑にドレイン水を排水することができる。
【００３６】
前記構成（ｘ）によれば、ドレイン水を排水路の中央に集めて効率よく導水することができる。
【００３７】
本願の第２発明によれば、ドレイン排水溝部材の排水路の両側部と隣接する床材の縁部との間に隙間があっても上部張出部によって当該隙間を塞ぐことができる。従って、床面への施工の際、ドレイン排水溝部材と床材との間の正確な寸法合わせが不要となり、施工作業性を向上させることができる。
【００３８】
前記構成（Ａ）によれば、ドレイン排水溝部材の排水路の両側部と隣接する床材の縁部との間に隙間があっても上部張出部によって当該隙間を塞ぐことができることに加え、下縁張出部によって隣接する床材との接合安定性を向上でき、及びドレイン排水溝部材と床材との間から水等が浸入したとしても床下地と接着剤との界面に当該水等が達することを防止できるため、施工後に浸入した水等が原因となる剥離等は起こらず、施工後の施工安定性を向上させることができる。
【００３９】
前記構成（Ｂ）によれば、上部張出部の少なくとも裏面の一部、及び／又は、上部張出部の先端部が、接合処理により、隣接する床材と接合されているため、床材との接合を強化することができる。さらに、上部張出部の裏面の全面、又は上部張出部の全先端部が、接合処理により接合されている場合には、床材との接合を強化することができることに加え、外部からの水等の浸入を防止することができ、施工後の施工安定性を向上させることができる。
【００４０】
前記構成（Ｃ）によれば、両側部の外面と上部張出部の裏面との成す角度が鋭角であることによって形成された空洞部の、一部又は全部に、接合処理をすることにより、隣接する床材と接合され、前記空洞部によって、より多くの接合処理剤を当該空洞部に充填することができるため、床材との接合をより強化することができる。さらに、両側部の外面と上部張出部の裏面との成す角度が鋭角であることによって形成された空洞部の、全部に、接合処理をすることにより、隣接する床材と接合されている場合には、前記空洞部によって、より多くの接合処理剤を充填することができるため、より有効に外部からの水等の浸入を防止することができ、施工後の施工安定性を飛躍的に向上させることができる。
【００４１】
前記構成（Ｄ）によれば、両側部の外面と上部張出部の裏面とから形成されたコーナー部に設けた溝部の、一部又は全部に、接合処理をすることにより、隣接する床材と接合され、前記溝部によって、より多くの接合材を当該溝部に充填することができるため、床材との接合をより強化することができる。さらに、両側部の外面と上部張出部の裏面とから形成されたコーナー部に設けた溝部の全部に、接合処理をすることにより、隣接する床材と接合されている場合には、前記溝部によって、より多くの接合材を充填することができるため、より有効に外部からの水等の浸入を防止することができ、施工後の施工安定性を飛躍的に向上させることができる。
【００４２】
前記構成（Ｅ）によれば、上部張出部の裏面に設けた溝部の、一部又は全部に、接合処理をすることにより、隣接する床材と接合されているため、前記溝部によって、より多くの接合処理剤を当該溝部に充填することができるため、床材との接合をより強化することができる。さらに、上部張出部の裏面に設けた溝部の全部に、接合処理をすることにより、隣接する床材と接合されている場合には、前記溝部によって、より多くの接合材を充填することができるため、より有効に外部からの水等の浸入を防止することができ、施工後の施工安定性を飛躍的に向上させることができる。
【００４３】
前記構成（Ｆ）によれば、上部張出部の裏面の、下方に突出したスカート部と上部張出部の先端側の裏面とで構成された空間部、及び／又は、スカート部と上部張出部の前記両側部側の裏面とで構成された空間部に、接合処理をすることにより、隣接する床材と接合されているため、前記空間部に接合処理剤を使用することによって、より隣接する床材との接合を強化することができ、加えて、前記スカート部及び接合処理剤により、上部張出部と床材の継ぎ目部分への外部からの埃や砂等のみならず水等の浸入も、より有効に防止することができ、施工後の施工安定性を飛躍的に向上させることができる。
【００４４】
前記構成（Ｇ）によれば、ドレイン排水溝部材の排水路に上方から塞ぐための平板状の蓋部材が設けられているため、ドレイン水が風で吹き飛ばされて床面を濡らせてしまうことがなく、加えて、外部から運ばれてきた排水路に埃や砂等が溜まることがない。従って、円滑なドレイン水の排水が確保されるとともに、排水路に溜まる埃や砂等の除去のためのメンテナンス作業の労力負担が極めて軽減される。しかも、蓋部材が排水路に対して、長手方向にスライドして脱着可能となっているため、容易に蓋部材の着脱が可能である。また、長年の使用により、排水路が詰まった場合には、蓋部材をスライドさせることにより、取り外すことができるため、メンテナンス作業が非常に容易に行うことができる。さらに、蓋部材の交換作業等も容易かつ迅速に行うことができる。
【００４５】
前記構成（Ｈ）によれば、排水路を流れるドレイン水がスライド部分から溢れ出すのを、突出部によって効果的に防止できる。しかも、前記突出部が蓋部材の両縁部を支持しているので、排水路に対する蓋部材の装着安定性を向上させ、また、蓋部材が踏まれた場合の凹み具合を低減することができる。
【００４６】
前記構成（Ｉ）によれば、上部張出部の、裏面及び／又は先端部に設けられた、下方に突出したスカート部の、少なくとも先端部分の一部又は全部に、接合処理をすることにより、隣接する床材と接合されているため、前記スカート部の凹凸への追従性、及びスカート部への接合処理により、より隣接する床材との接合を強化することができ、加えて、前記スカート部により、上部張出部と床材の継ぎ目部分から埃や砂等の進入を最小限に抑止することができる。さらに、上部張出部の、裏面及び／又は先端部に設けられた、下方に突出したスカート部の、少なくとも先端部分の全部に、接合処理をすることにより、隣接する床材と接合されている場合には、上部張出部と床材との継ぎ目部分の隙間を網羅的に塞ぐことができるため、外部からの埃や砂等のみならず水等の浸入も、より有効に防止することができ、施工後の施工安定性を飛躍的に向上させることができる。
【００４７】
前記構成（Ｊ）によれば、蓋部材の両縁部に形成された溝部に、排水路を形成する両側部に設けられた凸部を挿入することによって、蓋部材が排水路に対してスライドするようになっているため、簡単な構造で蓋部材の脱着が安定的に可能となる。また、蓋部材の両縁部に形成された溝部に、排水路の両側部に設けられた凸部を挿入された状態で、蓋部材が排水路に取り付けられるので、蓋部材は利用者の通常の歩行によっても外れにくいという効果を奏することができる。さらに、蓋部材の両縁部に形成された溝部と排水路の両側部に形成された凸部との間には、蓋部材と排水路としての遊びが存在しているため、蓋部材の脱着が困難になることはなく、さらには、脱着を繰り返してもスライドが困難になったり蓋部材が外れやすくなったりすることはない。また、部材が経時的に変化しても、遊びがその変形を吸収することができるので、蓋部材のスライドが不可能になることはない。さらに、部材の可撓性の大小にかかわらず、蓋部材のスライドを円滑に行うことができる。
【００４８】
前記構成（Ｋ）によれば、排水路の底部に複数のリブを設けたことによって下方から蓋部材を支持することができるため、蓋部材の上方から加わる踏圧等の圧力に対する前記蓋部材の変形等を有効に防止することができる。さらに、前記リブがドレイン水の導水機能も果たすため、円滑にドレイン水を排水することができる。
【発明を実施するための最良の形態】
【００４９】
以下、本発明を実施するための最良の形態について図面を参照しつつ詳述する。図１は本発明のドレイン排水溝部材の一例のドレイン排水床構造の部分斜視図を示すものである。両側部６、６’と底部３とによって排水路４が形成されている。また、両側部６，６’から横方向に張り出した張出部２，２’が形成されている。前記両側部６，６’の外面と張出部２，２’の裏面とから形成された空間部に、隣接している床材５，５’が挿設されている。尚、図１において、ドレイン排水溝部材１と隣接している床材５、５’の表面のエンボスは省略してある。また、図２は本発明のドレイン排水溝部材の一例の断面図を示すものである。図２に示すように、本発明のドレイン排水溝部材２１は、両側部２６、２６’と底部２４とから排水路２３が形成されている。また、両側部２６、２６’から横方向に上部張出部２２、２２’が形成されている。さらに、上部張出部２２、２２’の裏面と両側部２６、２６’の外面とにより、空間部２７、２７’が形成されている。
【００５０】
ドレイン排水溝部材２１を構成する素材は、ポリ塩化ビニル樹脂、ポリエチレン樹脂、ポリエステル樹脂、又はエチレン−酢酸ビニル共重合樹脂等の、熱可塑性樹脂の他、フェノール樹脂、メラミン樹脂等の、熱硬化性樹脂、及びＳＢＲ、ＣＲ等の、熱可塑性エラストマー、さらには、金属類、セラミクスであってもよい。また、運送時及び施工時の取り扱いの容易性の見地から、可撓性を付与できる素材、例えば、ポリ塩化ビニル樹脂、ポリエチレン樹脂、又はポリ塩化ビニル樹脂、若しくはポリエチレン樹脂とエチレン−酢酸ビニル共重合樹脂を混合した樹脂や熱可塑性エラストマーを、好ましく用いることができる。
【００５１】
ドレイン排水溝部材２１に形成されている上部張出部２２、２２’は、空間部２７、２７’を形成できればよく、必ずしも両側部２６、２６’の上縁から形成される必要はない。また、上部張出部２２、２２’の幅は、空間部２７、２７’を形成できれば特に限定はされないが、施工時に、床材を当該空間部に挿設して安定的に設置する、という観点から、２ｍｍ〜５０ｍｍであることが好ましく、さらに、５ｍｍ〜２０ｍｍがより好ましい。
【００５２】
図３は本発明のドレイン排水溝部材を床材とともに施工した排水床構造の一例の部分断面図を示す。図３に示すように、上部張出部３２、３２’の裏面と両側部３６、３６’の外面とから形成される空間部に、床材３７、３７’が挿設される。ドレイン排水溝部材３１は、施工の際、施工後の剥離や離脱等の防止の観点から、少なくともドレイン排水溝部材３１の底部３４の裏面、即ち、床下地と接している部分が、接着剤、粘着剤、両面テープ等の貼着剤で貼着されることが好ましいが、歩行量等の使用条件によって、底部３４の裏面について部分的に貼着剤で貼着してもよいし、また、全面的に貼着剤で貼着されてもよい。ここで、床下地とは、一般的に使用される床下地をいい、例えば、モルタル、コンクリート、木床等を意味する。
【００５３】
また、好ましくは、ドレイン排水溝部材３１の底部３４の裏面を貼着剤で貼着することに加え、両側部３６、３６’の外面と床材の縁部との間を、接着剤、粘着剤、両面テープといった貼着剤で貼着する、又はシーリング剤を充填する、若しくはシーム液で処理する、等の接合処理をし、さらに好ましくは、上部張出部３２、３２’の裏面と当該裏面に相対する床材の表面とを前記と同様に接合処理をする。尚、本明細書において、接合処理とは、接着剤、粘着剤、両面テープといった貼着剤で貼着する、又はシーリング剤を充填する、若しくはシーム液で処理する、等を言うものとする。Ｇ３は接合処理した接合処理剤を示す。本明細書において、接合処理剤とは、接着剤、粘着剤、両面テープといった貼着剤、シーリング剤、及びシーム液をいうものとする。
【００５４】
ドレイン排水溝部材３１の施工後、両側部３６、３６’の外面と床材の縁部とを接合処理すれば、上部張出部３２、３２’と床材との隙間から、外部からの埃や砂等が浸入するのを防止し、さらには水等が浸入して底部３４の裏面と床下地まで達することによる剥離等の問題を未然に防止することができる。さらに、ドレイン排水溝部材３１の張出部３２、３２’の裏面と当該裏面と相対する床材表面とを接合処理することにより、より完全に外部からの埃、砂、水等の浸入を防止することができる。さらに、ドレイン排水溝部材３１の上部張出部３２、３２’と床材の隙間を塞ぐ手段として、溶接棒等により熱溶着する方法を用いてもよい。但し、前記接合処理も、歩行量、埃、砂、水等の持込み量、又は暴露の程度によって、部分的に行ってもよいし、全面的に行ってもよい。
【００５５】
また、本発明のドレイン排水溝部材は、上部張出部の裏面と両側部の外面とによって形成される空間部に、床材が挿設され、両側部の外面及び／又は上部張出部の裏面により、床材と貼着、固定することができる。図４及び図５は前記空間部に床材が挿設された一例の本発明のドレイン排水床構造の部分断面図を示す。図４は本発明のドレイン排水溝部材４１の両側部４６の外面と床材４７の縁部との距離ｌが比較的大きい状態を示しており、図５は本発明ドレイン排水溝部材５１の両側部５６の外面と床材５７の縁部との距離が小さい状態を示している。図４及び図５に示すように、本発明のドレイン排水溝部材は、床材の縁部と両側部の外面との距離につき、ばらつきが生じても、対応することができる。即ち、本発明のドレイン排水溝部材を施工する際、従来のドレイン排水溝部材のように、精密に幅取りを行なって施工すべき部分の床材間にドレイン排水溝部材の施工すべき部分を設ける必要がない。従って、本発明のドレイン排水溝部材は従来のドレイン排水溝部材と比較して、容易かつ迅速に施工することができ、施工の熟練も従来のドレイン排水溝部材ほど必要としない。尚、参考までに図１９に従来のドレイン排水溝部材の床材との一例のドレイン排水床構造の部分断面図を示す。
【００５６】
また、図４、５は厚みの異なる床材の一例のドレイン排水床構造の部分断面図をも示している。図４は両側部の外面と上部張出部の裏面とで形成された空間部の高さと略同じ厚みを有する床材を、施工した状態の部分断面図を示し、図５は両側部の外面と張出部の裏面とで形成された空間部の高さより大きい厚みを有する床材を施工した状態の部分断面図を示している。図５に示すように、前記空間部の高さより、床材の厚みが厚い場合には、本発明のドレイン排水溝部材の上部張出部５２が床材間に橋設される状態で施工される。また、図４に示すように、前記空間部と床材の厚みが略同等の場合には、床材４７の表面と上部張出部４２の裏面とが接合処理されるとともに、ドレイン排水溝部材４１の底面の裏面と床下地とが、載置、又は接着剤等の接合処理剤により貼着される。さらに、前記空間部の高さより、床材の厚みが厚い場合には、本発明のドレイン排水溝部材の裏面と床下地とが、載置、又は接着剤等の接合処理剤により貼着されるが、上部張出部の裏面と床材表面との間に隙間が生じることとなる。当該隙間は、シーリング剤等による接合処理によって、塞ぐことにより、外部からの埃や砂、水等の浸入を防ぐことができる。従って、本発明のドレイン排水溝部材は、隣接する床材の厚さにかかわらず、施工可能であり、床材との施工の自由度を従来のドレイン排水溝部材と比較して向上させることができる。
【００５７】
また、本発明のドレイン排水溝部材においては、両側部の下縁から横方向に張り出した下縁張出部を形成してもよい。図６は本発明のドレイン排水溝部材の他の実施形態である下縁張出部を設けた一例の部分断面図を示す。図６で一例として示すように、両側部６６の上縁から上部張出部６２が形成されており、両側部６６の下縁から下縁張出部６８が形成されている。上部張出部６２の裏面、下縁張出部６８の上面、及び両側部６６の外面が、空間部６７を形成している。床面に施工の際、空間部６７に床材が挿設される。ドレイン排水溝部材６１を施工する際には、床下地と、底面６４の裏面及び／又は下縁張出部６８の裏面とに、接着剤、粘着剤、両面テープ等の接合処理剤により、全面的又は部分的に、適宜使用条件に応じて、接合処理することができる。
【００５８】
また、図７に本発明ドレイン排水溝部材の他の実施形態の一例のドレイン排水床構造の部分断面図を示す。図７に示すように、施工の際には、上部張出部７２の裏面、両側部７６の外面、及び下縁張出部７８の上面、によって形成される空間部に、床材７７が挿設される。
【００５９】
下縁張出部７８の厚みが大きすぎると、前記空間部に床材を挿設したとき、当該挿設されることによる床材７７のひずみが大きくなり、本発明のドレイン排水溝部材７１の前記ひずみに起因する上部張出部７２の変形や床材７７自体の部分的な剥離を生ずることがある。従って、下縁張出部７８の最大の厚みは、０．１ｍｍ〜１．５ｍｍが好ましく、さらに、０．３ｍｍ〜０．８ｍｍがより好ましい。
【００６０】
また、下縁張出部７８の幅、即ち、両側部７６の外面から下縁張出部７８の先端部までの張り出している長さは、とくに施工時や運搬時に支障がなければ、限定はされず、また、必ずしも張出部７２の幅と同等の幅である必要はない。たとえ下縁張出部７８の幅が小さくとも、下縁張出部７８の存在により、床下地との接地面積が大きくなるため、ドレイン排水溝部材７１と床下地との貼着安定性を向上させることが可能であり、加えて、上部張出部７２の裏面側に形成されている空間部に挿設された床材７７との接地面積も大きくなり、又は接合処理剤Ｇ７の充填等を行った際には、当該接合処理剤Ｇ７とドレイン排水溝部材７１との貼着面積が大きくなるため、ドレイン排水溝部材７１と床材との間の貼着安定性も向上させることができる。
【００６１】
前記空間部に挿設された床材７７と、ドレイン排水溝部材７１の下縁張出部７８、両側部７６の外面、及び張出部７２の裏面と、の間隙を、接着剤、シーリング剤、さらには、シーム液によって、接合処理をして塞ぎ、かつ床材７７とドレイン排水溝部材７１とを貼着、固定してもよい。前記接合処理は、部分的に行ってもよいし、全面的に行ってもよく、床材７７やドレイン排水溝部材７１の使用状態により、適宜選択するとよい。また、ドレイン排水溝部材７１は、下縁張出部７８により、床下地との貼着面積、及び床材７７との貼着面積を、大きくすることができるため、施工安定性が向上し、施工後に剥離等の問題が生じることは少ない。さらに、ドレイン排水溝部材７１に設けられた下縁張出部７８により、接合処理可能な部位が大きくなるため、外部から浸入する埃、砂、水等を、より有効かつ完全に防止することもできる。
【００６２】
また、本発明のドレイン排水溝部材は、図１で示すように、両側部の外面と上部張出部の裏面とのなす角度が略直角になるように設けてもよい。前記両側部の外面と上部張出部の裏面とのなす角度を略直角に設けることにより、床材を、本発明のドレイン排水溝部材の両側部の外面と上部張出部の裏面とによって形成される空間部に、挿設する際、床材の縁部が略直角であることが多いことから、前記空間部に床材をより挿設しやすくなる。
【００６３】
また、本発明のドレイン排水溝部材において下縁張出部を設ける実施形態の場合も、前記と同様に、両側部の外面と下縁張出部の表面とのなす角度を略直角になるように設けてもよい（図示せず）。前記両側部の外面と下縁張出部の裏面とのなす角度を略直角に設けることにより、床材を、本発明のドレイン排水溝部材の両側部の外面と下縁張出部の裏面とによって形成される空間部に、挿設する際、床材の縁部が略直角であることが多いことから、前記空間部に床材をより挿設しやすくなる。
【００６４】
また、本発明のドレイン排水溝部材の他の実施形態として、両側部の外面と上部張出部の裏面とのなす角度を鋭角にしてもよい。図８は本発明のドレイン排水溝部材の他の実施形態である、両側部の外面と上部張出部の裏面とのなす角度を鋭角にした一例の部分断面図を示す。図８に示すように、両側部８６の外面と上部張出部８２の裏面とのなす角度が鋭角、即ち、９０°未満になっている。さらに、図９は両側部の外面と上部張出部の裏面とのなす角度を鋭角にした本発明のドレイン排水溝部材の床材との一例のドレイン排水床構造の部分断面図を示す。
【００６５】
図９に示すように、両側部９６の外面と上部張出部９２の裏面とのなす角度が鋭角になっているため、床材９７を挿設したときに、床材９７の表面と上部張出部９２の裏面との間に空間部が形成される。当該空間部により、シーリング等による接合処理がしやすくなり、加えて、より多くの接合処理剤を充填することができるため、埃や砂、水等の浸入を効果的に防止することができる。尚、接合処理の作業性等の見地から、両側部９６の外面と張出部９２の裏面とのなす角度は、５５°〜８８°が好ましく、６５°〜８５°がより好ましい。
【００６６】
また、本発明のドレイン排水溝部材の他の実施形態として、両側部の外面と上部張出部の裏面とから形成されたコーナー部に溝部を設けてもよい。図１０は本発明のドレイン排水溝部材の他の実施形態である、両側部の外面と上部張出部の裏面とから形成されたコーナー部に溝部を設けた一例の部分断面図を示す。図１０で示すように、両側部１０６の外面と上部張出部１０２の裏面とから形成されたコーナー部に、溝部Ｄ１０が設けられている。図１１に両側部の外面と上部張出部の裏面とから形成されたコーナー部に溝部を設けた本発明のドレイン排水溝部材に、床材が挿設された一例のドレイン排水床構造の部分断面図を示す。図１１に示すように、本発明のドレイン排水溝部材１１１の空間部に床材１１７を挿設する場合、図１０に示す溝部Ｄ１０に、接合処理の際、シーリング剤等を充填することができるため、非常に接合処理がしやすくなる。加えて、溝部Ｄ１０にシーリング剤等を充填することができるため、より安定的にドレイン排水溝部材１１１と床材とを接合、固定することができる。また、溝部Ｄ１０に、接合処理剤を、部分的に充填して接合処理を行うか、全面的に充填して接合処理を行うかは、ドレイン排水溝部材１１１、及び当該部材とともに施工する床材の、使用状態により、任意に選択することができる。さらに、溝部Ｄ１０に接合処理剤を充填するとともに、上部張出部１１２の裏面と床材１１７の表面との間隙に、部分的又は全面的に、接合処理剤を充填してもよい。
【００６７】
また、本発明のドレイン排水溝部材の他の実施形態として、上部張出部の裏面に、図１０に示す溝部Ｄ１０と同様の溝部を設けてもよい（図示せず）。本発明のドレイン排水溝部材の空間部に床材を挿設する場合、前記溝部に、接合処理の際、シーリング剤等を充填することができるため、非常に接合処理がしやすくなる。加えて、前記溝部にシーリング剤等を充填することができるため、より安定的にドレイン排水溝部材と床材とを接合、固定することができる。本発明のドレイン排水溝部材に設ける溝部は、例えば、図１０、１１に示すような比較的小さな溝を一又は二以上設けてもよいし、一つの大きな溝部を設けてもよい。さらに、図１０に示すような上部張出部の裏面と両側部の外面とのコーナー部の溝部を前記溝部に加えて設けてもよい。
【００６８】
また、前記溝部に接合処理剤を部分的に充填して接合処理を行うか、全面的に充填して接合処理を行うかは、本発明のドレイン排水溝部材、及び当該部材とともに施工する床材の、使用状態により、任意に選択することができる。さらに、前記溝部に接合処理剤を充填するとともに、上部張出部の裏面と床材の表面との間隙に、部分的又は全面的に、接合処理剤を充填してもよい。また、上部張出部の裏面と両側部の外面とから形成されるコーナー部に設けた溝部と比較して、本発明のドレイン排水溝部材の実施形態では、上部張出部の先端により近い位置に溝部が存在するために、接合処理の際、接合処理剤の充填作業がしやすく、かつ埃や砂、水等の浸入をより手前で確実に阻止することができる点で、有効である。
【００６９】
また、上部張出部の先端に接合処理部を設けてもよい。図２０は本発明のドレイン排水溝部材の他の実施形態である、上部張出部の先端に接合処理部を設けた一例の部分断面図を示す。また、図２１は上部張出部の先端に接合処理部を設けた他の実施形態の本発明のドレイン排水溝部材と床材との一例のドレイン排水床構造の部分断面図を示す。接合処理部２０８は、上部張出部２０２の先端にシーリング剤等による接合処理をするための部分であり、接合処理に使用する接合処理剤が溜まりやすい構造を有している。具体的構造としては、図２０に示すように、上部張出部２０２の先端部に接合処理部２０８が設けられている。接合処理部２０８は、図２０においては、上部張出部２０２から上方へ立ち上がる小さな面として示されているが、図示するような、小さな面でなくとも、先端部に溝部を設けて接合処理部としたものでもよい。尚、前記接合処理部は、接合処理剤を溜まりやすくし、より接合処理を行いやすくするためのものであることから、図２０に示す接合処理部の場合、当該接合処理部の幅ｗ２０は、０．５ｍｍ〜５ｍｍが好ましく、１ｍｍ〜２ｍｍがさらに好ましい。また、本実施形態では、接合処理剤が溜まりやすい構造を有しているため、接合処理が容易であり、加えて接合処理をより確実に行うことができる。接合処理部に接合処理することにより、シーリング剤等の接合処理剤Ｇ２１により、上部張出部２１２の裏面と床材２１７の表面との間隙を塞ぐことができる。
【００７０】
また、本発明のドレイン排水溝部材の他の実施形態として、上部張出部の、裏面及び／又は先端部に、下方に突出したスカート部を設けてもよい。図１２は本発明ドレイン排水溝部材の他の実施形態として、上部張出部の裏面に下方に突出したスカート部を設けた一例の部分断面図を示す。図１２で示すように、上部張出部１２２の裏面にスカート部Ｓ１２が設けられている。当該スカート部Ｓ１２は、空間部１２７に挿設された床材の表面が平滑である場合にはさほど可撓性は必ずしも必要はない。しかしながら、挿設される床材の表面がエンボス等の凹凸を有している場合には、前記スカート部に可撓性を有するようにすることで、当該凹凸に追従させることができるため、前記床材と上部張出部１２２との隙間を最小限に抑えることができ、さらに、シーリング剤等により接合処理を行うことにより、より確実に前記隙間を塞ぐことができる。また、可撓性を有するスカート部Ｓ１２は、空間部１２７に挿設される床材の表面の凹凸状態にかかわらず、床材と上部張出部１２２との隙間を最小限に抑えることができるので、好ましい。
【００７１】
上述したように、スカート部Ｓ１２は、床材表面の凹凸に追従可能な程度の可撓性を有していることが好ましい。図１３は上部張出部の裏面に下方に突出したスカート部を設けた本発明のドレイン排水溝部材と床材との一例のドレイン排水床構造の部分断面図を示す。本発明のドレイン排水溝部材において、接合処理を行う際、スカート部Ｓ１３の外側部、即ち、上部張出部１３２の先端部に近い側に、シーリング剤等の充填処理等の接合処理をしてもよいし、スカート部Ｓ１３の内側部、即ち、上部張出部１３２の両側部外面に近い側に、シーリング剤等の充填処理等の接合処理をしてもよい。図１３においては、スカート部Ｓ１３の外側部に設けられた接合処理剤をＧ１３で示しており、スカート部Ｓ１３の内側部に設けられた接合処理剤をＧ１３’で示している。尚、スカート部Ｓ１３と床材の表面との隙間部分のみを接合処理すれば、少ない接合処理剤で前記隙間部分を塞ぐことができ、コスト面でも有効である。さらに、上部張出部１３２の裏面と床材１３７の表面との間隙をより確実に塞ぐために、スカート部Ｓ１３の内側部及び外側部の双方に対して接合処理を行ってもよい。
【００７２】
さらに、上部張出部１３２の裏面と床材１３７の表面との隙間が大きい場合でも、スカート部Ｓ１３によって当該隙間を覆い隠すことができ、加えて、また、スカート部Ｓ１３の突出している長さは、床材表面の凹凸の追従することができ、スカート部Ｓ１３の内側部及び／又は外側部にシーリング剤等の充填処理等の接合処理ができれば、特に限定はされないが、床材１３７の表面のエンボス等の凹凸への追従性、及び上部張出部の裏面と床材表面との間の間隙を覆うという観点から、０．２ｍｍ〜５ｍｍが好ましく、０．３ｍｍ〜２．５ｍｍがさらに好ましい。また、上部張出部の裏面に設けられるスカート部は、一つでもよいし、二つ以上設けてもよい。
【００７３】
また、本発明のドレイン排水溝部材の他の実施形態として、上部張出部の先端部に下方に突出したスカート部を設けてもよい。図１４は本発明のドレイン排水溝部材の他の実施形態として、上部張出部の先端部に下方に突出したスカート部を設けた一例の部分断面図を示す。また、図１５は上部張出部の先端部に下方に突出したスカート部を設けた他の実施形態の本発明のドレイン排水溝部材と床材との一例のドレイン排水床構造の部分断面図を示す。図１４に示すように、スカート部Ｓ１４が設けられ、床材と施工した場合、図１５に示すように、スカート部Ｓ１５が床材の凹凸に追従するように構成されている。従って、上部張出部１５２の裏面と床材１５７の表面との隙間を、スカート部Ｓ１５を床材表面の凹凸等の表面状態にかかわらず、覆うことができる。また、シーリング剤等による接合処理は、上述した実施形態と同様、スカート部Ｓ１５の外側部又は内側部で、さらには、外側部及び内側部の双方で、行ってもよい。
【００７４】
さらに、本発明のドレイン排水溝部材の他の実施形態として、上部張出部の裏面及び先端部の双方に、スカート部を設けてもよい（図示せず）。上部張出部の裏面及び先端部の双方にスカート部を設けることにより、上部張出部の裏面と床材表面との隙間を塞ぐ効果を向上させることができる。即ち、本発明のドレイン排水溝部材は、上部張出部の裏面及び先端部の双方にスカート部を設けていることから、少なくとも複数のスカート部を有しているため、上部張出部の裏面と床材表面との隙間の被覆性を向上させることができ、さらに、各スカート部の外側部、若しくは内側部、又はそれらの双方について、シーリング剤等による接合処理を行えば、上部張出部の裏面と床材表面との隙間を塞ぐ効果を向上させることができる。加えて、本発明のドレイン排水溝部材と隣接する床材との貼着安定性も向上させることができる。
【００７５】
本発明のドレイン排水溝部材の他の実施形態として、排水路に、上方から塞ぐための平板状の蓋部材が設けられてもよい（図示せず）。排水路を蓋部材で塞ぐことにより、ドレイン水の風による床面への飛散や外部からの埃、砂等の排水路への進入を有効に防止することができ、実用上非常に有効であり、メンテナンス面でも頻繁に排水路に溜まった埃、砂等を排除する必要がない。本発明のドレイン排水溝部材に設ける蓋部材は、排水路を上方から覆うように、一体的に構成されていても、脱着可能に構成されていてもよい。
【００７６】
本発明のドレイン排水溝部材の排水路と蓋部材とを一体的に構成する場合には、あらかじめ一体成型して蓋部材を設けてもよいし、接着剤等の貼着剤を用いて、別途排水路上方に蓋部材を設けてもよい。脱着可能に設ける場合には、公知の任意の構成を用いることができるが、嵌合、マジックテープ（登録商標）等の構成を用いることが好ましい。嵌合によって蓋部材を脱着可能にする構成は、排水路を形成する両側部の上縁部に凹部を設け、蓋部材の裏面、即ち、排水路側に面する面に凸部を設けて、嵌合可能にすることが好ましい。また、排水路を形成する両側部の上縁部に凸部を設け、蓋部材の裏面に前記凸部と嵌合可能な凹部を設けることも好ましい。尚、排水路を形成する両側部の上縁部に設ける凸部に代えて、排水路を構成する両側部の上縁部を蓋部材に設けられた凹部と嵌合させて脱着可能にしてもよい。
【００７７】
さらに、本発明のドレイン排水溝部材に蓋部材を設ける場合には、ドレインホース差込孔部とドレイン排水溝部材の排水路を上方から塞ぐ蓋体とから構成されているドレインホース連結具を、蓋部材とともに装着することが好ましい。図１６は本発明のドレイン排水溝部材に装着する一例のドレインホース連結具を示す。図１６で示すように、ドレインホース連結具は、円筒形状のドレインホース差込孔部１６１と平板状の蓋体１６２とから構成されている。
【００７８】
前記ドレインホース連結具を構成する蓋体１６２は、装着容易性の観点から、本発明のドレイン排水溝部材の蓋部材と同様な構成にすることが好ましい。例えば、蓋部材に被嵌合部となる溝部が設けられている場合には、ドレインホース連結具を構成する蓋体１６２にも被嵌合部となる溝部を設ける。尚、あらかじめ、蓋部材とともに排水路と一体化させてもよい。
【００７９】
また、本発明のドレイン排水溝部材の他の実施形態として、蓋部材を、排水路に対して、長手方向にスライドして脱着可能としてもよい。図１７は本発明のドレイン排水溝部材の他の実施形態として、蓋部材を排水路に対して長手方向にスライドして脱着可能とした一例の断面図を示す。両側部に溝部Ｍ１７、Ｍ１７’が形成されており、蓋部材１７０の両縁部を当該溝部Ｍ１７、Ｍ１７’に挿入することによって、蓋部材１７０がスライドして脱着可能になっている。蓋部材１７０がスライドによって脱着可能となっているため、脱着が容易であり、排水路のメンテナンスの際にも非常に便利である。
【００８０】
また、本発明のドレイン排水溝部材の他の実施形態として、蓋部材の両縁部に形成された溝部に、排水路を形成する両側部に設けられた凸部を挿入することによって、排水路に対してスライドするようにしてもよい（図示せず）。蓋部材がスライドによって脱着可能となっているため、脱着が容易であり、排水路のメンテナンスの際にも非常に便利である。
【００８１】
また、本発明のドレイン排水溝部材の他の実施形態として、排水路を形成する両側部から前記排水路の内側に向かって、突出部を設けてもよい。図２２は本発明のドレイン排水溝部材の他の実施形態として、排水路を形成する両側部から前記排水路の内側に向かって突出部が設けられた一例の断面図を示す。また、図２３は本発明のドレイン排水溝部材の他の実施形態として、排水路を形成する両側部から前記排水路の内側に向かって突出部が設けられた一例の部分断面図を示す。図２２に示すように、両側部から突出部Ｔ２２、２２’が設けられている。当該突出部Ｔ２２、２２’により、排水路２２３を流れるドレイン水が、蓋部材２２０と嵌合するスライド部分、即ち、溝部Ｍ２２、２２’から、漏れて溢れ出すのを有効に防止することができる。
【００８２】
また、前記構造によれば、図２３に示す蓋部材２３０に踏圧等の上からの力が加わっても、突出部Ｔ２３が蓋部材２３０を保持する効果があるので、蓋部材２３０の凹み具合を効果的に防止することができる。従って、突出部Ｔ２３の幅、即ち、両側部から排水路内側に向かって突出している長さを、調整することにより、前記スライド部分からのドレイン水の漏れ等の防止効果、及び蓋部材の上からの力に対する保持効果を、任意に調節することも可能である。
【００８３】
さらに、図２３に示すように、突出部は蓋部材の裏面に沿った状態で設けてもよいが、突出部の先端部分が蓋部材の裏面に向かって突出している構造であってもよい。図２７に本実施形態の一例の断面図を示す。図２７に示すように、突出部Ｔ２７，２７’の先端部分は蓋部材２７０の裏面に向かって突出している。
【００８４】
この構造によっても、上述したドレイン水の漏れ等の防止、及び蓋部材の保持による蓋部材の凹み低減の効果を、奏することができる。
【００８５】
さらに、突出部Ｔ２７，２７’の先端部分は、蓋部材２７０の裏面に当接していても当接していなくともよいが、当接している方が、排水路の水密性がより向上し、スライド部分からのドレイン水の漏れ等をより有効に防止することができる。
【００８６】
また、突出部は、少なくともその一部を、蓋部材に踏圧等の上からの力が加わったときに蓋部材を支持可能なように設けても良い。例えば、湾曲形状の突出部の腹部分、即ち、先端部以外の部分を、蓋部材に踏圧等の上からの力が加わった場合に支持するように設けても良い。尚、この場合でも、蓋部材と突出部とが当接してもしなくてもいずれでも良いが、当接している方が、排水路の水密性をより向上でき、スライド部分からのドレイン水の漏れ等をより有効に防止することができる。
【００８７】
また、本発明のドレイン排水溝部材の他の実施形態として、蓋部材の両縁部が上向き及び／又は下向きの突部を有しており、排水路の両側部の溝部に、前記突部が嵌合可能な凹部が設けられており、蓋部材の両縁部の突部が排水路の両側部の溝部に設けられた凹部に嵌合された状態で、蓋部材の両縁部を前記溝部に挿入するようにしてもよい。図２４は本発明のドレイン排水溝部材の他の実施形態として、蓋部材の両縁部が下向きの突部を有しており、排水路の両側部の溝部に、前記突部が嵌合可能な凹部が設けられており、蓋部材の両縁部の突部が排水路の両側部の溝部に設けられた凹部に嵌合された状態で、蓋部材の両縁部を前記溝部に挿入する形態の一例の部分断面図を示す。蓋部材２４０の縁部に突部ｔ２４が設けられている。一方、排水路の側部には前記突部ｔ２４を有した蓋部材の縁部が嵌合し、かつスライドにより脱着可能なように溝部Ｍ２４に上開きの凹部ｍ２４が形成されている。
【００８８】
この構造によれば、蓋部材２４０の縁部に設けられた突部ｔ２４と、排水路の側部の溝部Ｍ２４に設けられた凹部ｍ２４とが嵌合しているため、当該溝部Ｍ２４における蓋部材２４０と排水路との装着状態を安定化させることができ、また、ドレイン水が、スライド部分即ち溝部Ｍ２４から漏れて溢れ出すことを、有効に防止することができる。
【００８９】
さらに、蓋部材の両縁部に、上向き及び下向きの突部を設け、排水路の両側部に設けられた溝部に、前記突部と嵌合可能な凹部を形成してもよい。
【００９０】
この構造によれば、蓋部材の両縁部の上下双方で、蓋部材の突部と排水路の両側部の溝部の凹部とが嵌合するため、より安定的に蓋部材を排水路に装着することができ、ドレイン水が、排水路の両側部に設けられたスライド部分即ち溝部から漏れ溢れ出すことを、より有効に防止することができる。
【００９１】
また、本発明のドレイン排水溝部材の他の実施形態として、蓋部材の両縁部が上開き及び／又は下開きの凹部を有しており、排水路の両側部の溝部に、前記凹部が嵌合可能な突部が設けられており、蓋部材の縁部の凹部が排水路の両側部の溝部に設けられた突部に嵌合された状態で、蓋部材の両縁部が前記溝部に挿入されるようになっている形態であってもよい。図２５は本発明のドレイン排水溝部材の他の実施形態として、蓋部材の両縁部が下開きの凹部を有しており、排水路の両側部の溝部に、前記凹部が嵌合可能な突部が設けられており、蓋部材の両縁部の凹部が排水路の両側部の溝部に設けられた突部に嵌合された状態で、蓋部材の両縁部が前記溝部に挿入される形態の一例の部分断面図を示す。図２５に示すように、蓋部材２５０の縁部には凹部ｍ２５が設けられている。一方、排水路の側部には、前記凹部ｍ２５を有した蓋部材の縁部が嵌合しかつスライドにより脱着可能なように、突部ｔ２５が形成されている。
【００９２】
この構造によれば、蓋部材２５０の縁部に設けられた凹部ｍ２５と、排水路の側部の溝部Ｍ２５に設けられた突部ｔ２５と、が嵌合しているため、当該溝部Ｍ２５における蓋部材２５０と排水路の装着状態を安定化させることができ、また、ドレイン水が、スライド部分即ち溝部Ｍ２５から漏れて溢れ出すことを、有効に防止することができる。
【００９３】
さらに、蓋部材の縁部に設けられた凹部が、上開き及び下開きの双方に設けられ、排水路の側部に設けられた溝部に、前記凹部と嵌合可能な突部を設けてもよい（図示せず）。
【００９４】
この構造によれば、蓋部材の縁部の上下双方で、蓋部材の凹部と排水路の溝部の突部とが嵌合して、蓋部材が排水路に装着されるため、より安定的に蓋部材を排水路に装着することができ、ドレイン水が、排水路の側部に設けられたスライド部分即ち溝部から漏れ溢れ出すことを、より有効に防止することができる。
【００９５】
さらに、本発明のドレイン排水溝部材の他の実施形態として、蓋部材の両縁部が、断面波形形状を有しており、排水路の両側部の溝部が、前記縁部が嵌合する断面波形形状を有しており、蓋部材の両縁部が、波形形状同士を嵌合させた状態で、前記溝部に挿入されるようになっている形態であってもよい。図２６は、蓋部材の両縁部が、断面波形形状を有しており、排水路の両側部の溝部が、前記両縁部が嵌合する断面波形形状を有しており、蓋部材の両縁部が、波形形状同士を嵌合させた状態で、前記溝部に挿入される形態の一例の部分断面図を示す。図２６に示すように、蓋部材２６０の縁部が断面波形状を有しており、排水路２６３の側部に設けられた溝部が蓋部材２６０の前記縁部の断面波形状と嵌合、スライド及び脱着が可能となっている。
【００９６】
この構造によれば、排水路の溝部Ｍ２６に形成された断面波形状部Ｎ２６と蓋部材２６０の縁部に形成された断面波形状部ｎ２６同士が嵌合しているため、溝部Ｍ２６における蓋部材２６０と排水路との装着状態を安定させることができ、また、ドレイン水が、スライド部分即ち溝部Ｍ２６から漏れて溢れ出すのを、防止できる。
【００９７】
また、両側部に設けられた溝部を、水平に対して傾斜して形成してもよい（図２２、２７参照）。溝部が傾斜しているため、蓋部材に応力が働き、踏圧等の上からの圧力があっても、蓋部材が外れにくく、蓋部材を安定的に装着させておくことができる。
【００９８】
さらに、本発明のドレイン排水溝部材の他の実施形態として、排水路が中央の幅狭領域と、その幅狭領域を含む幅広領域と、を有するようにしてもよい（図示せず）。この排水路では底部の中央に一段低い排水路が形成されており、これにより、排水路は中央の幅狭領域と当該幅狭領域を含む幅広領域とを有している。
【００９９】
この構造によれば、ドレイン水が少ない場合にはドレイン水を幅狭領域に流し、ドレイン水が多い場合にはドレイン水を幅広領域に流すことにより、排水路が不必要に広く使用されることを回避できる。従って、メンテナンスを簡素に行うことができる。
【０１００】
また、本発明のドレイン排水溝部材の他の実施形態として、排水路の底部に複数のリブを設けてもよい。図１８は本発明のドレイン排水溝部材の他の実施形態として、排水路の底部に複数のリブを設けた一例の断面図を示す。図１８に示すように、底部１８４に複数のリブＬ１８が形成されているため、ドレイン水の導水を円滑に行うことができ、ドレイン水の流量が多い場合であっても、排水路１８３からドレイン水が溢れ出ることがない。
【０１０１】
さらに、排水路に蓋部材を有する場合には、底部に設けられたリブがあるため、上方からの踏圧等の圧力が加わっても蓋部材が大きく変形することがなく、本発明のドレイン排水溝部材の排水性能を維持することができる。
【０１０２】
また、本発明のドレイン排水溝部材の他の実施形態として、蓋部材の裏面に複数のリブを設けてもよい（図示せず）。上述した排水路の底面にリブを設けた場合と同様、蓋部材裏面に設けられたリブがあるため、上方からの踏圧等の圧力が加わっても蓋部材が大きく変形することがなく、本発明のドレイン排水溝部材の排水性能を維持することができる。さらに、蓋部材に設けられたリブが排水路を流れるドレイン水に達する程度の高さを有している場合には、前記効果に加え、ドレイン水の導水性の向上に寄与することができる。
【産業上の利用可能性】
【０１０３】
本発明のドレイン排水溝部材は、ドレイン水を円滑に導水することができるほか、容易に施工できるため、施工上の作業負担を著しく軽減することができる。さらに、本発明のドレイン排水溝部材と床材の縁部とは、従来の熱溶着が可能であることに加え、シーリング剤等の接合処理剤の充填処理に適した構造を有しているため、施工作業者の熟練を要さず確実に接合処理を行うことができ、産業上の利用価値はきわめて高いものである。
【図面の簡単な説明】
【０１０４】
【図１】本発明のドレイン排水溝部材と床材との一例のドレイン排水床構造の部分斜視図を示す。
【図２】本発明のドレイン排水溝部材の一例の断面図を示す。
【図３】本発明のドレイン排水溝部材と床材との一例のドレイン排水床構造の部分断面図を示す。
【図４】本発明のドレイン排水溝部材の空間部に床材が挿設された、本発明のドレイン排水床構造の一例の部分断面図を示す。
【図５】本発明のドレイン排水溝部材の空間部に床材が挿設された、本発明のドレイン排水床構造の他の一例の部分断面図を示す。
【図６】本発明のドレイン排水溝部材の他の実施形態である、下縁張出部を設けた一例の部分断面図を示す。
【図７】下縁張出部を設けた本発明のドレイン排水溝部材と床材との一例のドレイン排水床構造の部分断面図を示す。
【図８】本発明のドレイン排水溝部材の他の実施形態である、両側部の外面と上部張出部の裏面とのなす角度が鋭角にした一例の部分断面図を示す。
【図９】両側部の外面と上部張出部の裏面とのなす角度が鋭角にした本発明のドレイン排水溝部材と床材との一例のドレイン排水床構造の部分断面図を示す。
【図１０】本発明のドレイン排水溝部材の他の実施形態である、両側部の外面と上部張出部の裏面とから形成されたコーナー部に溝部を設けた一例の部分断面図を示す。
【図１１】両側部の外面と上部張出部の裏面とから形成されたコーナー部に溝部を設けた本発明のドレイン排水溝部材と床材との一例のドレイン排水床構造の部分断面図を示す。
【図１２】本発明のドレイン排水溝部材の他の実施形態である、上部張出部の裏面に下方に突出したスカート部を設けた一例の部分断面図を示す。
【図１３】上部張出部の裏面に下方に突出したスカート部を設けた本発明のドレイン排水溝部材と床材との一例のドレイン排水床構造の部分断面図を示す。
【図１４】本発明のドレイン排水溝部材の他の実施形態である、上部張出部の先端部に下方に突出したスカート部を設けた一例の部分断面図を示す。
【図１５】上部張出部の先端部に下方に突出したスカート部を設けた他の実施形態の本発明のドレイン排水溝部材と床材との一例のドレイン排水床構造の部分断面図を示す。
【図１６】本発明のドレイン排水溝部材に装着する一例のドレインホース連結具の斜視図を示す。
【図１７】本発明のドレイン排水溝部材の他の実施形態である、蓋部材が排水路に対して長手方向にスライドして脱着可能とした一例の断面図を示す。
【図１８】本発明のドレイン排水溝部材の他の実施形態である、排水路の底部に複数のリブを設けた一例の断面図を示す。
【図１９】従来のドレイン排水溝部材の床材との一例のドレイン排水床構造の部分断面図を示す。
【図２０】本発明のドレイン排水溝部材の他の実施形態である、上部張出部の先端に接合処理部を設けた一例の部分断面図を示す。
【図２１】上部張出部の先端に接合処理部を設けた他の実施形態の本発明のドレイン排水溝部材と床材との一例のドレイン排水床構造の部分断面図を示す。
【図２２】本発明のドレイン排水溝部材の他の実施形態として、排水路を形成する両側部から前記排水路の内側に向かって突出部が設けられた一例の断面図を示す。
【図２３】本発明のドレイン排水溝部材の他の実施形態として、排水路を形成する両側部から前記排水路の内側に向かって突出部が設けられた一例の部分断面図を示す。
【図２４】本発明のドレイン排水溝部材の他の実施形態として、蓋部材の両縁部が下向きの突部を有しており、排水路の両側部の溝部に、前記突部が嵌合可能な凹部が設けられており、蓋部材の両縁部の前記突部が排水路の両側部の前記溝部に設けられた前記凹部に嵌合された状態で、蓋部材の両縁部が前記溝部に挿入される形態の一例の部分断面図を示す。
【図２５】本発明のドレイン排水溝部材の他の実施形態として、蓋部材の両縁部が下開きの凹部を有しており、排水路の側部の溝部に、前記凹部が嵌合可能な突部が設けられており、蓋部材の縁部の前記凹部が排水路の側部の前記溝部に設けられた前記突部に嵌合された状態で、蓋部材の両縁部が前記溝部に挿入される形態の一例の部分断面図を示す。
【図２６】本発明のドレイン排水溝部材の他の実施形態として、蓋部材の両縁部が、断面波形形状を有しており、排水路の両側部の溝部が、前記両縁部が嵌合する断面波形形状を有しており、蓋部材の両縁部が、波形形状同士を嵌合させた状態で、前記溝部に挿入される形態の一例の部分断面図を示す。
【図２７】本発明のドレイン排水溝部材の他の実施形態として、排水路を形成する両側部から、前記排水路の内側であって蓋部材の裏面に向かって、突出部が設けられた一例の部分断面図を示す。
【符号の説明】
【０１０５】
１、２１、３１、４１、５１、６１、７１、８１、９１、１０１、１１１、１２１、１３１、１４１、１５１：ドレイン排水溝部材  ２、２’、２２、３２、３２’、４２、５２、６２、７２、８２、９２、１０２、１１２、１２２、１３２、１４２、１５２、１８２、１８２’：上部張出部  ３、２３、１８３：排水路  ４、２４、３４、６４、７４、８４、１０４、１１４、１２４、１３４、１４４、１５２、１８４：底部  ５、５’７、３７、３７’、４７、５７、７７、９７、１０７、１１７、１３７、１５７：床材  ６、６’、２６、３６、４６、６６、７６、８６、９６、１０６、１１６、１２６、１３６、１４６、１５６、１８６、１８６’２０６、２１６：両側部  ６８：下縁張出部  ２７、６７、８７、１０７、１２７、１４７、１８７、１８７’：空間部  １７０：蓋部材  ２０８：接合処理部  Ｄ１０：溝部  Ｍ１７、Ｍ１７’：（両側部の）溝部  Ｓ１２、Ｓ１３、Ｓ１４、Ｓ１５：スカート部  Ｔ２２、Ｔ２２’、Ｔ２３、Ｔ２７、Ｔ２７’：突出部